【事件の表示】
　特許第２７２１２８９号「情報再生装置」の請求項１に係る特許に対する特許異議の申立てについて、次のとおり決定する。
【結論】
　訂正を認める。
　特許第２７２１２８９号の請求項１に係る特許を維持する。
【理由】
理由
（１）手続の経緯
特許出願　　　　　　　平成４年６月１１日
特許権設定登録　　　　平成９年１１月２１日
特許異議の申立て（申立人田村典子）
　　　　　　　　　　　平成１０年９月４日
取消理由通知　　　　　平成１０年１２月４日
訂正請求書・意見書　　平成１１年２月９日
審尋書（申立人）　　　平成１１年３月１６日
回答書　　　　　　　　平成１１年６月３日
訂正拒絶理由通知　　　平成１１年７月１６日
手続き補正書・意見書　平成１１年１０月８日
（２）訂正の適否についての判断
ア．訂正請求に対する補正の適否
１．補正の内容
▲１▼特許請求の範囲の請求項１（訂正明細書第１頁第１９〜２０行目）において、「・・・上記記憶手段は、少なくとも４Ｍｂｉｔ以上の記憶容量を有する・・・」を「上記記憶手段は、記録媒体からのデータ読み出し速度と、時間軸伸長して圧縮をとく速度と、記録媒体からのデータの読み出しが開始されるまでの立ち上げ時の消費電力と、記録媒体からのデータ読み出し時の消費電力と、パワーセーブ期間の消費電力とからなる特定の条件に基づいて記憶容量を選定し、その選定した記憶容量と上記特定の条件に基づいて算出される平均消費電力が、記録媒体からのデータ読み出し時の消費電力よりも低くなるよう、その記憶容量を少なくとも４Ｍｂｉｔ以上とした」に補正する。
▲２▼訂正明細書第１１段落第５行目における「有している。」を「有し、且つ上記記憶手段として、記録媒体からのデータ読み出し速度と、時間軸伸長して圧縮をとく速度と、記録媒体からのデータの読み出しが開始されるまでの立ち上げ時の消費電力と、記録媒体からのデータ読み出し時の消費電力と、パワーセーブ期間の消費電力とからなる特定の条件に基づいて記憶容量を選定し、その選定した記憶容量と上記特定の条件とに基づいて算出される平均消費電力が、記録媒体からのデータ読み出し時の消費電力よりも低くなるよう、その記憶容量を少なくとも４Ｍｂｉｔ以上としている。」に補正する。
▲３▼訂正明細書第５３段落第８行目における「構成である。」を「構成であり、且つ上記記憶手段として、記録媒体からのデータ読み出し速度と、時間軸伸長して圧縮をとく速度と、記録媒体からのデータの読み出しが開始されるまでの立ち上げ時の消費電力と、記録媒体からのデータ読み出し時の消費電力と、パワーセーブ期間の消費電力とからなる特定の条件に基づいて記憶容量を選定し、その選定した記憶容量と上記特定の条件とに基づいて算出される平均消費電力が、記録媒体からのデータ読み出し時の消費電力よりも低くなるよう、その記憶容量を少なくとも４Ｍｂｉｔ以上としたものである。」に補正する。
２．補正の適否
　上記補正事項▲１▼は、特許明細書の段落３２、４４〜４９の記載に基づくものであり、記憶手段の記憶容量を少なくとも４Ｍｂｉｔ以上にする意味を加えて限定したものであるので、特許請求の範囲の減縮に相当するものである。また、上記補正事項▲２▼、▲３▼は、いずれも上記補正事項▲１▼に伴って訂正明細書の記載を補正したものであって、明りょうでない記載の釈明に該当する。
　また、当該補正は、訂正請求書の要旨を変更するものではない。
　従って、当該補正を認める。
イ．訂正の適否
１．訂正の内容
▲１▼訂正事項ａ
　特許請求の範囲の請求項１に係る記載の「上記制御手段は、・・・させることを特徴とする」を「上記制御手段は、・・・させる一方、上記記憶手段は、記録媒体からのデータ読み出し速度と、時間軸伸長して圧縮をとく速度と、記録媒体からのデータの読み出しが開始されるまでの立ち上げ時の消費電力と、記録媒体からのデータ読み出し時の消費電力と、パワーセーブ期間の消費電力とからなる特定の条件に基づいて記憶容量を選定し、その選定した記憶容量と上記特定の条件に基づいて算出される平均消費電力が、記録媒体からのデータ読み出し時の消費電力よりも低くなるよう、その記憶容量を少なくとも４Ｍｂｉｔ以上としたことを特徴とする」と訂正する。
▲２▼訂正事項ｂ
　特許明細書第１１段落第５行目の「有している。」を「有し、且つ上記記憶手段として、記録媒体からのデータ読み出し速度と、時間軸伸長して圧縮をとく速度と、記録媒体からのデータの読み出しが開始されるまでの立ち上げ時の消費電力と、記録媒体からのデータ読み出し時の消費電力と、パワーセーブ期間の消費電力とからなる特定の条件に基づいて記憶容量を選定し、その選定した記憶容量と上記特定の条件に基づいて算出される平均消費電力が、記録媒体からのデータ読み出し時の消費電力よりも低くなるよう、その記憶容量を少なくとも４Ｍｂｉｔ以上としている。」と訂正する。
▲３▼訂正事項ｃ
　特許明細書第５３段落第８行目の「構成である。」を「構成であり、且つ上記記憶手段が、記録媒体からのデータ読み出し速度と、時間軸伸長して圧縮をとく速度と、記録媒体からのデータの読み出しが開始されるまでの立ち上げ時の消費電力と、記録媒体からのデータ読み出し時の消費電力と、パワーセーブ期間の消費電力とからなる特定の条件に基づいて記憶容量を選定し、その選定した記憶容量と上記特定の条件に基づいて算出される平均消費電力が、記録媒体からのデータ読み出し時の消費電力よりも低くなるよう、その記憶容量を少なくとも４Ｍｂｉｔ以上としたものである。」と訂正する。
▲４▼訂正事項ｄ
　特許明細書第５４段落の「図ることができる」と「という効果を奏する」の間に「と共に、その際において、パワーセーブ期間が短すぎて充分な消費電力の削減が図れなかったり、逆に消費電力が高くなるケースを防止することができる」を挿入する。
２．訂正の目的の適否、新規事項の有無及び拡張・変更の存否
▲１▼上記訂正事項ａについては、記憶手段の記憶容量について記載がなかったものを、その記憶容量についての限定を行ったものであり、該限定は特許明細書第３２及び４４〜４９段落に記載されていることを根拠にしている。
　したがって、この訂正は特許請求の範囲の減縮に相当するものである。
▲２▼上記訂正事項ｂ、ｃは、特許請求の範囲を訂正したことに伴う訂正であり、明りょうでない記載の釈明に相当する。
▲３▼上記訂正事項ｄは、特許請求の範囲を訂正したことに伴う請求項１に係る発明の効果に関する訂正であり、段落４８にこの点は記載されている。従って、明りょうでない記載の釈明に相当する。
　そして、上記訂正事項ａ〜ｄは、新規事項の追加に該当せず、また、実質的に特許請求の範囲を拡張又は変更するものではない。
３．独立特許要件の判断
▲１▼訂正後の請求項１に係る発明
（１）時間軸圧縮された情報データがディジタル記録されている記録媒体から該情報データを読み出す記録情報読出手段と、上記記録情報読出手段により読み出された情報データを記憶する領域が形成された記憶手段とを有し、上記記録情報読出手段により読み出された情報データを一旦上記記憶手段に書き込み、この書き込み速度よりも遅い速度で該情報データを記憶手段から読み出して、該情報データを時間軸伸長することにより情報の再生を行う情報再生装置において、上記記録情報読出手段への電源電力の供給の有無を切り替える切替手段と、上記記憶手段内の情報データの記憶量が、略記憶手段の記憶容量に達したときに、上記記録情報読出手段への電源電力の供給が行われないように上記切替手段の切り替え動作を制御する制御手段とを有し、上記制御手段は、上記記憶手段内の情報データの記憶量が所定量以下になったとき、上記記録情報読出手段への電源電力の供給が再開されるように上記切替手段の切り替え動作を制御し、記憶手段内の情報データが空になる前に記憶手段への情報データの書き込みを再開させる一方、上記記憶手段は、記録媒体からのデータ読み出し速度と、時間軸伸長して圧縮をとく速度と、記録媒体からのデータの読み出しが開始されるまでの立ち上げ時の消費電力と、記録媒体からのデータ読み出し時の消費電力と、パワーセーブ期間の消費電力とからなる特定の条件に基づいて記憶容量を選定し、その選定した記憶容量と上記特定の条件に基づいて算出される平均消費電力が、記録媒体からのデータ読み出し時の消費電力よりも低くなるよう、その記憶容量を少なくとも４Ｍｂｉｔ以上としたことを特徴とする情報再生装置。
▲２▼先願明細書記載の発明
　当審が通知した訂正拒絶理由で引用した、その出願日前の出願であって、その出願後に出願公開された先願の願書に最初に添付した明細書又は図面（特願平４−３２９３１号（特開平５−２０５２７０号））には次のことが記載されている。
「再生系６内の光学ヘッド１８及びデコーダ２１で、上記光ディスク１から音声データを再生して上記記憶手段であるＲＡＭ２２に供給する再生手段を構成しており、また、上記スピンドルモータ１７，ＲＦ回路１９及びサーボ制御回路２０で上記光ディスク１の回転駆動制御手段を構成している。」（段落【００２４】）
「システムコントローラ５は、上記光ディスク１に記録した音声データの再生を行う再生モード時に、上記記録系２のＬＰＦ１０〜磁気ヘッド１６に供給する電源をオフ制御すると共に、上記ＲＡＭ２２に一旦記憶される音声データの残量を検出し、この音声データの残量が所定量以上となった場合に、上記再生手段である光学ヘッド１８及びデコーダ２１に供給する電源、及び、上記回転駆動制御手段である上記スピンドルモータ１７，ＲＦ回路１９及びサーボ制御回路２０に供給する電源をそれぞれオフ制御する。」（段落【００２６】）
「上記システムコントローラ５は、上記再生データを上記ＲＡＭ２２に７５セクタ／秒の転送速度で書き込み、この書き込んだ再生データを上記１５セクタ／秒の転送速度で連続的に読み出すようなメモリ制御を行う」（段落【００６３】）
「例えば上記圧縮データを５倍にデータ伸長して７５セクタ／秒の転送速度のデジタルデータである音声データを形成」（段落【００６６】）「上記システムコントローラ５は、この音声データの残量が図９（ｆ）の時刻ｔ１５に示すように所定量Ｌ以下となった場合に、同図（ａ）に示すように、再度、上記スピンドルモータ１７〜デコーダ２１への電源供給を開始するように制御する。これにより、図９（ｂ）の時刻ｔ１６からサーボ制御回路２０が作動しスピンドルモータ１７が再度回転駆動され、同図（ｅ）の時刻ｔ１６から上記デコーダ２１が駆動され、同図（ｃ）の時刻ｔ１７から、前に音声データの再生を行った再生最終アドレスに上記光学ヘッド１８がアクセスされ、同図（ｄ）の時刻ｔ１７から音声データの再生が再開される。」（段落【００７３】、図９）
「また、再生モード時において、上記システムコントローラ５が、音声データの再生に不必要な上記記録系２のＬＰＦ１０〜磁気ヘッド１６に供給する電源をオフ制御するとともに、上記再生系２のＲＡＭ２２に一旦記憶され読み出される音声データの残量を検出し、この音声データの残量が所定量以上になったときを上記再生停止期間として、上記光学ヘッド１８及びデコーダ２１に供給する電源、及び、上記スピンドルモータ１７，ＲＦ回路１９及びサーボ制御回路２０に供給する電源をそれぞれオフ制御することにより、上記再生停止期間にトラックジャンプを繰り返し、前に音声データの再生を行ったトラック上の最後の位置を保持する無駄な動作を省略することができ、消費電力の節約を図ることができる。」（段落【００８１】）
「なお、上述の実施例のディスク記録再生装置において、例えば上記光ディスク１から音声データの再生を行う際に消費する電力を１Ｗ、この再生した音声データを出力する際に消費する電力を１００ｍＷとし、上述の間欠的な音声データの記録のデューティを１／４として再生する際に、上記再生停止期間における電源のオフ制御を行うことにより、従来は、１Ｗ＋１００ｍＷ＝１．１Ｗの消費電力であるが、本実施例に係るディスク記録再生装置では、１Ｗ×（１／４）＋１００ｍＷ＝０．３５Ｗと従来の略々１／３の消費電力で該光ディスク１から音声データの再生を行うことができ、充分に消費電力の節約を図ることができる。」（段落【００８３】）
▲３▼対比・判断
　訂正後の請求項１に係る発明と上記先願明細書に記載される発明を対比すると、上記先願明細書に記載される発明は、訂正後の請求項１に係る発明を特定する事項である、「記憶手段は、記録媒体からのデータ読み出し速度と、時間軸伸長して圧縮をとく速度と、記録媒体からのデータの読み出しが開始されるまでの立ち上げ時の消費電力と、記録媒体からのデータ読み出し時の消費電力と、パワーセーブ期間の消費電力とからなる特定の条件に基づいて記憶容量を選定し、その選定した記憶容量と上記特定の条件に基づいて算出される平均消費電力が、記録媒体からのデータ読み出し時の消費電力よりも低くなるよう、その記憶容量を少なくとも４Ｍｂｉｔ以上とした」点、即ち、立ち上げ時の消費電力がディスクからのデータ読み出しの消費電力よりも大きくなる点を考慮して記憶手段の記憶容量を４Ｍｂｉｔ以上としている点を備えていない。
　したがって、訂正後の請求項１に係る発明は、上記先願発明と同一とすることはできないから、特許出願の際独立して特許を受けることができないものとすることはできない。
エ．むすび
　以上のとおりであるから、上記訂正請求を認める。
（３）特許異議の申立てについての判断
ア．申立ての理由の概要
　異議申立人田村典子は、甲第１号証（特願平４−３２９３１号（特開平５−２０５２７０号）を提出し、請求項１に係る発明の特許は、特許法第２９条の２の規定により特許を受けることができない発明に対してなされたものであるので、取り消すべき旨主張している。
イ．本件発明
　訂正後の請求項１に係る発明は、上記（２）ア．３．▲１▼を参照されたい。
ウ．甲第１号証記載の発明
　上記（２）ア．３．▲２▼を参照されたい。
エ．対比・判断
　上記（２）ア．３．▲３▼を参照されたい。
オ．むすび
　以上のとおりであるから、特許異議の申立ての理由及び証拠によっては、訂正後の請求項１に係る発明の特許を取り消すことはできない。
　また、他に訂正後の請求項１に係る発明の特許を取り消すべき理由を発見しない。
　よって、結論のとおり決定する。
【異議決定日】
平成１１年１１月９日（１９９９．１１．９）
【訂正の要旨】
訂正の要旨
▲１▼訂正事項ａ
　特許請求の範囲の請求項１に係る記載の「上記制御手段は、・・・させることを特徴とする」を、特許請求の範囲の減縮を目的として「上記制御手段は、・・・させる一方、上記記憶手段は、記録媒体からのデータ読み出し速度と、時間軸伸長して圧縮をとく速度と、記録媒体からのデータの読み出しが開始されるまでの立ち上げ時の消費電力と、記録媒体からのデータ読み出し時の消費電力と、パワーセーブ期間の消費電力とからなる特定の条件に基づいて記憶容量を選定し、その選定した記憶容量と上記特定の条件に基づいて算出される平均消費電力が、記録媒体からのデータ読み出し時の消費電力よりも低くなるよう、その記憶容量を少なくとも４Ｍｂｉｔ以上としたことを特徴とする」と訂正する。
▲２▼訂正事項ｂ
　特許明細書第１１段落第５行目の「有している。」を、明りょうでない記載の釈明を目的として「有し、且つ上記記憶手段として、記録媒体からのデータ読み出し速度と、時間軸伸長して圧縮をとく速度と、記録媒体からのデータの読み出しが開始されるまでの立ち上げ時の消費電力と、記録媒体からのデータ読み出し時の消費電力と、パワーセーブ期間の消費電力とからなる特定の条件に基づいて記憶容量を選定し、その選定した記憶容量と上記特定の条件に基づいて算出される平均消費電力が、記録媒体からのデータ読み出し時の消費電力よりも低くなるよう、その記憶容量を少なくとも４Ｍｂｉｔ以上としている。」と訂正する。
▲３▼訂正事項ｃ
　特許明細書第５３段落第８行目の「構成である。」を、明りょうでない記載の釈明を目的として「構成であり、且つ上記記憶手段が、記録媒体からのデータ読み出し速度と、時間軸伸長して圧縮をとく速度と、記録媒体からのデータの読み出しが開始されるまでの立ち上げ時の消費電力と、記録媒体からのデータ読み出し時の消費電力と、パワーセーブ期間の消費電力とからなる特定の条件に基づいて記憶容量を選定し、その選定した記憶容量と上記特定の条件に基づいて算出される平均消費電力が、記録媒体からのデータ読み出し時の消費電力よりも低くなるよう、その記憶容量を少なくとも４Ｍｂｉｔ以上としたものである。」と訂正する。
▲４▼訂正事項ｄ
　特許明細書第５４段落の「図ることができる」と「という効果を奏する」の間に、明りょうでない記載の釈明を目的として「と共に、その際において、パワーセーブ期間が短すぎて充分な消費電力の削減が図れなかったり、逆に消費電力が高くなるケースを防止することができる」を挿入する。
（５４）【発明の名称】
情報再生装置
（５７）【特許請求の範囲】
　【請求項１】　時間軸圧縮された情報データがディジタル記録されている記録媒体から該情報データを読み出す記録情報読出手段と、上記記録情報読出手段により読み出された情報データを記憶する領域が形成された記憶手段とを有し、上記記録情報読出手段により読み出された情報データを一旦上記記憶手段に書き込み、この書き込み速度よりも遅い速度で該情報データを記憶手段から読み出して、該情報データを時間軸伸長することにより情報の再生を行う情報再生装置において、
　上記記録情報読出手段への電源電力の供給の有無を切り替える切替手段と、
　上記記憶手段内の情報データの記憶量が、略記憶手段の記憶容量に達したときに、上記記録情報読出手段への電源電力の供給が行われないように上記切替手段の切り替え動作を制御する制御手段とを有し、
　上記制御手段は、上記記憶手段内の情報データの記憶量が所定量以下になったとき、上記記録情報読出手段への電源電力の供給が再開されるように上記切替手段の切り替え動作を制御し、記憶手段内の情報データが空になる前に記憶手段への情報データの書き込みを再開させる
一方、
　上記記憶手段は、記録媒体からのデータ読み出し速度と、時間軸伸長して圧縮をとく速度と、記録媒体からデータの読み出しが開始されるまでの立ち上げ時の消費電力と、記録媒体からのデータ読み出し時の消費電力と、パワーセーブ期間の消費電力とからなる特定の条件に基づいて記憶容量を選定し、その選定した記憶容量と上記特定の条件とに基づいて算出される平均消費電力が、記録媒体からのデータ読み出し時の消費電力よりも低くなるよう、その記憶容量を少なくとも４Ｍｂｉｔ以上とした
　【請求項２】　時間軸圧縮された情報データがディジタル記録されている記録媒体から該情報データを読み出す記録情報読出手段と、上記記録情報読出手段により読み出された情報データを記憶する領域が形成された記憶手段と、上記記憶手段内に上記記録情報読出手段により読み出された情報データを書き込む書込手段と、上記書込手段の書き込み速度よりも遅い速度で該情報データを記憶手段から読み出すメモリ読出手段と、上記書込手段の動作を制御して記憶手段に保持される情報データの記憶量を調整する制御手段とを有し、上記メモリ読出手段により読み出された情報データを時間軸伸長することにより情報の再生を行う情報再生装置において、
　上記記録情報読出手段への電源電力の供給の有無を切り替える切替手段と、第１モードまたは第２モードのいずれかの設定モードを選択するモード選択手段とを有し、
　上記制御手段は、モード選択手段により第１モードが選択されている場合、記憶手段内の情報データの記憶量が略記憶手段の記憶容量に達すれば、記録情報読出手段への電源電力の供給が行われないように切替手段の切り替え動作を制御すると共に、記憶手段内の情報データの記憶量が所定量以下になれば、記録情報読出手段への電源電力の供給が再開されるように切替手段の切り替え動作を制御し、且つ書込手段の動作を制御して記憶手段への情報データの書き込みを再開させる一方、モード選択手段により第２モードが選択されている場合、記憶手段内にショック・プルーフ用の情報データが、常に、所定量以上保持されるように、書込手段の動作を制御することを特徴とする情報再生装置。
　【請求項３】　上記モード選択手段が、第１モードまたは第２モードのいずれかの設定モードを任意に選択できるマニュアルスイッチであることを特徴とする請求項２記載の情報再生装置。
　【請求項４】　上記モード選択手段が、上記記録情報読出手段の情報データの読み出し状態に応じて、第１モードまたは第２モードのいずれかの設定モードを自動選択する自動モード選択手段であることを特徴とする請求項２記載の情報再生装置。
【発明の詳細な説明】
　【０００１】
　【産業上の利用分野】
　本発明は、音声データ等の情報データを時間軸圧縮してディジタル記録しているディスク等の記録媒体より情報データを読み出して時間軸伸長し、再生を行うミニディスク装置（以下、ＭＤ装置と称する）等の情報再生装置に関するものである。
　【０００２】
　【従来の技術】
　ＭＤ装置では、音声データを時間軸圧縮してディジタル記録してあるディスクよりデータを読み出して時間軸伸長し、これをアナログ／ディジタル変換して再生するようになっている。ＭＤ装置の場合、通常、毎秒１．４Ｍｂｉｔの速度でディスクからの音声データを読み出し、毎秒０．３Ｍｂｉｔの速度で圧縮をとく。したがって、このＭＤ装置においては、ピックアップのデータ読み取り速度と、時間軸伸長して再生されるデータの送り出し速度との違いを吸収するために、ディスクから読み取った時間軸圧縮された音声データを、一旦半導体メモリに格納し、そこから毎秒０．３Ｍｂｉｔの速度でデータを読み出して再生するようになっている。
　【０００３】
　また、このＭＤ装置においては、上記したピックアップのデータ読み取り速度と、時間軸伸長して再生されるデータの送り出し速度の差を利用して、ディスクから読み取った時間軸圧縮された音声データを、上記半導体メモリに常に所定のデータ量以上記憶しておくことによって、振動等の外乱によってピックアップが正しいトラックを外れても、上記半導体メモリ内のデータがなくなるまでに、ピックアップを正しいトラックに戻せば再生音が途切れないような機能を有している。
　【０００４】
　上記のような半導体メモリは、いわゆるショック・プルーフ・メモリと呼称されるものであり、従来のＭＤ装置においては、通常、１ＭｂｉｔのＤＲＡＭが使用されている。このショック・プルーフ・メモリは、再生中、その容量の一部が該メモリヘのデータ入出力のデータ転送速度の違いを吸収するＷＯＲＫ　ＲＡＭとして、また、その残りが上述したショックやトラックジャンプのための保護用（ショック・プルーフ用）として利用されている。
　【０００５】
　即ち、上記ショック・プルーフ・メモリが１ＭｂｉｔのＤＲＡＭの場合、ディスクからの音声データの読み出しと時間軸伸長との処理速度の違いは毎秒１．１Ｍｂｉｔであり、ディスクからの音声データの読み出し開始後、約１秒（１Ｍｂｉｔ／１．１Ｍｂｉｔ・ｓ−１）で記憶データはメモリ容量一杯になり、再生時間にして約３秒分（１Ｍｂｉｔ／０．３Ｍｂｉｔ・ｓ−１）のデータが記憶される。したがって、記憶データがメモリ容量一杯になった場合、その後所定時間、例えば約１秒間、ショック・プルーフ・メモリにはディスクから読み出された音声データが記憶されず（いわゆるディスクの空読みが行われ）、毎秒０．３Ｍｂｉｔの速度で上記メモリからデータの読み出しのみが行われる。これにより、ショック・プルーフ・メモリの容量の一部に空き領域が生じるので、この空き領域に再びディスクから読み出された音声データが順次格納され、記憶データがメモリ容量一杯になったところで、再び所定時間（即ち、約１秒間）ディスクの空読みが行われ、以下、同様の動作が繰り返される。
　【０００６】
　これにより、再生時間にして約２秒分の音声データが、ショック・プルーフ用として、常に上記ショック・プルーフ・メモリ内に確保されるようになっている。
　【０００７】
　【発明が解決しようとする課題】
　ところで、持ち運びが容易なポータブルＭＤ装置では、ＭＤ装置を携帯使用する場合、通常、電源として電池が用いられるが、この場合、電池交換を行わないで連続使用できる時間が限定されるので、できるだけ消費電力をおさえて長時間使用できるような構成が望まれる。
　【０００８】
　しかしながら、上記従来の構成では、ショック・プルーフ・メモリに記憶される音声データの記憶量がメモリ容量一杯になった後も、ディスクの空読みが行われるため、無駄な電力が消費されることになり、連続使用時間が短くなってしまうという問題を有する。
　【０００９】
　本発明は上記に鑑みなされたものであり、その目的は、消費電力の削減を図ることができ、電源に電池等を使用しで情報再生装置を携帯使用する場合、長時間使用が可能な情報再生装置を提供することにある。
　【００１０】
　【課題を解決するための手段】
　請求項１の発明に係る情報再生装置は、上記の課題を解決するために、時間軸圧縮された情報データがディジタル記録されている記録媒体（例えば、光ディスク等）から該情報データを読み出す記録情報読出手段（例えば、ピックアップ、ＲＦアンプ、デコード信号処理回路、サーボ回路、ドライバ回路、スピンドルモータ、送りモータ等から構成されるもの）と、上記記録情報読出手段により読み出された情報データを記憶する領域が形成された記憶手段（例えば、４ＭｂｉｔのＤＲＡＭ）とを有し、上記記録情報読出手段により読み出された情報データを一旦上記記憶手段に書き込み、この書き込み速度よりも遅い速度で該情報データを記憶手段から読み出して、該情報データを時間軸伸長することにより情報の再生を行うＭＤ装置等の情報再生装置において、以下の手段を講じている。
　【００１１】
　即ち、上記記録情報読出手段への電池等の電源からの電力供給の有無を切り替える切替手段と、上記記憶手段内の情報データの保持量が、略記憶手段の記憶容量に達したときに、上記記録情報読出手段への電源電力の供給が行われないように上記切替手段の切り替え動作を制御する制御手段（例えば、マイクロコンピュータ）とを有し
、且つ上記記憶手段として、記録媒体からのデータ読み出し速度と、時間軸伸長して圧縮をとく速度と、記録媒体からデータの読み出しが開始されるまでの立ち上げ時の消費電力と、記録媒体からのデ−タ読み出し時の消費電力と、パワーセーブ期間の消費電力とからなる特定の条件に基づいて記憶容量を選定し、その選定した記憶容量と上記特定の条件とに基づいて算出される平均消費電力が、記録媒体からのデータ読み出し時の消費電力よりも低くなるよう、その記憶容量を少なくとも４Ｍｂｉｔ以上とし
　【００１２】
　また、請求項２の発明に係る情報再生装置は、上記の課題を解決するために、時間軸圧縮された情報データがディジタル記録されている記録媒体から該情報データを読み出す記録情報読出手段と、上記記録情報読出手段により読み出された情報データを記憶する領域が形成された記憶手段と、上記記憶手段内に上記記録情報読出手段により読み出された情報データを書き込む書込手段と、上記書込手段の書き込み速度よりも遅い速度で該情報データを記憶手段から読み出すメモリ読出手段と、上記書込手段の動作を制御して記憶手段に保持される情報データの記憶量を調整する制御手段とを有し、上記メモリ読出手段により読み出された情報データを時間軸伸長することにより情報の再生を行う情報再生装置において、以下の手段を講じている。
　【００１３】
　即ち、上記記録情報読出手段への電源電力の供給の有無を切り替える切替手段と、第１モードまたは第２モードのいずれかの設定モードを選択するモード選択手段とを有している。そして、上記制御手段は、モード選択手段により第１モードが選択されている場合、記憶手段内の情報データの記憶量が略記憶手段の記憶容量に達すれば、記録情報読出手段への電源電力の供給が行われないように切替手段の切り替え動作を制御すると共に、記憶手段内の情報データの記憶量が所定量以下になれば、記録情報読出手段への電源電力の供給が再開されるように切替手段の切り替え動作を制御し、且つ書込手段の動作を制御して記憶手段への情報データの書き込みを再開させる一方、モード選択手段により第２モードが選択されている場合、記憶手段内にショック・プルーフ用の情報データが、常に、所定量以上保持されるように、書込手段の動作を制御する。
　【００１４】
　また、請求項３の発明に係る情報再生装置は、上記の課題を解決するために、請求項２の構成において、上記モード選択手段が、第１モードまたは第２モードのいずれかの設定モードを任意に選択できるマニュアルスイッチであることを特徴としている。
　【００１５】、
　また、請求項４の発明に係る情報再生装置は、上記の課題を解決するために、請求項２の構成において、上記モード選択手段が、上記記録情報読出手段の情報データの読み出し状態に応じて、第１モードまたは第２モードのいずれかの設定モードを自動選択する自動モード選択手段であることを特徴としている。
　【００１６】
　【作用】
　上記請求項１の構成によれば、記録情報読出手段により記録媒体から読み出された情報データは、一旦上記記憶手段に書き込まれ、この書き込み速度よりも遅い速度で記憶手段から読み出されて再生される。したがって、この書き込み速度と読み出し速度の差により、記憶手段には情報データが蓄積されて行く。そして、記憶手段内の情報データの記憶量が、略記憶手段の記憶容量に達したとき、制御手段により、上記記録情報読出手段への電源電力の供給が行われないように、上記切替手段が切り替えられる。これにより、記憶手段への情報データの記憶は一旦中断され、データの読み出しのみが行われる。この場合、空読みとは異なり、記録情報読出手段への電源電力の供給がストップされているので、当然、装置の消費電力は通常再生時よりも削減される。
　【００１７】
　上記の状態で再生が行われれば、記憶手段内の情報データの記憶量が時間と共に減って行き、所定時間後には、記憶手段内の情報データは空になるが、上記制御手段は、上記記憶手段内の情報データの記憶量が所定量以下になったとき、上記記録情報読出手段への電源電力の供給が再開されるように上記切替手段の切り替え動作を制御し、記憶手段内の情報データが空になる前に記憶手段への情報データの書き込みを再開させるようになっている。これにより、記憶手段には、再び情報データが蓄えられ、再生動作が途切れることはない。
　【００１８】
　上記のように、記録情報読出手段の電源のＯＮ／ＯＦＦを繰り返しながら再生することにより、再生時の消費電力の削減が図られる。
　【００１９】
　また、上記請求項２の構成によれば、上記請求項１の構成に加え、第１モードまたは第２モードのいずれかの設定モードを選択するモード選択手段とを有している。
　【００２０】
　モード選択手段により第１モードが選択されている場合、請求項１の構成同様、記録情報読出手段の電源のＯＮ／ＯＦＦが繰り返され、再生時の消費電力の削減が図られる。即ち、第１モードが選択されている場合、記憶手段は、消費電力の削減を図ることができるパワーセーブ用として使用される。
　【００２１】
　一方、モード選択手段により第２モードが選択されている場合、制御手段は、記憶手段内にショック・プルーフ用の情報データが、常に、所定量以上保持されるように、書込手段の動作を制御する。即ち、第２モードが選択されている場合、記憶手段は、ショック・プルーフ用として使用される。
　【００２２】
　上記のように、モード選択手段の選択結果に応じて記憶手段をパワーセーブ用とショック・プルーフ用とに切り替えて使用可能であり、例えば請求項３に記載したように、モード選択手段としてマニュアルスイッチを用いれば、使用者が目的に応じて設定モードを任意に選択できる。例えば、電源に電池を使用しで情報再生装置を携帯使用する場合では、第１モードを選択することにより長時間使用が可能となる。一方、携帯使用せずに例えばＡＣ１００Ｖを電源として使用する場合、第２モードを選択することにより、外乱等による再生情報の乱れを防ぐことができる。
　【００２３】
　また、上記モード選択手段として、例えば請求項４に記載したように、上記記録情報読出手段の情報データの読み出し状態に応じて設定モードを自動選択する自動モード選択手段を使用することもできる。例えば、自動モード選択手段は、エラーが少なくエラーの周期が長いと共に、サーボ電圧の変動が少ないため、ショック・プルーフ用の容量が少なくてもよいと判断した場合には、第１モードを選択する一方、エラーが多くエラーの周期が短いか、または、サーボ電圧の変動が大きいため、ショック・プルーフ用の容量が大きくなければならないと判断した場合には、第２モードを選択する。
　【００２４】
　即ち、従来では、エラーが少ない場合でも、常に、記憶手段内にショヅク・プルーフ用の情報データが所定量以上保持されるようになっていたが、上記自動モード選択手段により、エラーが少なければ記憶手段がパワーセーブ用として使用されるようになるので、その分消費電力の削減が図られる。したがって、外乱等による再生情報の乱れが比較的少ない状態を維持しながら消費電力の削減を図ることができる。
　【００２５】
　【実施例】
　本発明の一実施例について図１および図２に基づいて説明すれば、以下の通りである。
　【００２６】
　本実施例の情報再生装置としてのＭＤ装置は、図１に示すように、時間軸圧縮された音声データ（情報データ）がディジタル記録されているディスク（記録媒体）１より、上記音声データを読み出す記録情報読出手段を構成する、ピックアップ２と、ＲＦアンプ３と、デコーダ・信号処理回路４と、サーボ回路１０と、ドライバ回路１１と、スピンドルモータ１２と、送りモータ１３とを有している。
　【００２７】
　再生時、ドライバ回路１１に駆動されるスピンドルモータ１２によりディスク１が回転駆動されると共に、上記ドライバ回路１１に駆動される送りモータ１３によりピックアップ２がディスク１の半径方向に送られ、このピックアップ２によりディスク１に記録されている音声データが読み出される。上記ピックアップ２により読み出された音声データは、ＲＦアンプ３において増幅され、デコーダ・信号処理回路４に送られる。
　【００２８】
　また、上記ＲＦアンプ３は、上記ピックアップ２により読み出された音声データより、フォーカスエラー信号やトラッキングエラー信号等のサーボ制御信号をを生成し、これをサーボ回路１０に出力する。上記サーボ回路１０は、上記ＲＦアンプ３からのサーボ制御信号と、システムコントロール用マイクロコンピュータ（以下、システムコントロールマイコンと称する）９からのコントロール信号により、フォーカス、トラッキング、およびスピンのサーボをかけるように、上記ドライバ回路１１をコントロールする。そして、上記ドライバ回路１１は、上記サーボ回路１０からのコントロール信号により、ピックアップ２、送りモータ１３、およびスピンドルモータ１２を駆動する。
　【００２９】
　そして、上記デコーダ・信号処理回路４は、ＲＦアンプ３で増幅された信号を復調し、さらに、誤り訂正等の信号処理を行い、書込手段およびメモリ読出手段としてのショック・プルーフ・メモリコントローラ（以下、メモリコントローラと称する）５に送る。
　【００３０】
　上記メモリコントローラ５は書込手段として、上記デコーダ・信号処理回路から送られてくる信号を、記憶手段としてのショック・プルーフ・メモリ６に順次書き込む。本実施例では、４ＭｂｉｔのＤＲＡＭが上記ショック・プルーフ・メモリ６として使用されている。
　【００３１】
　また、上記メモリコントローラ５はメモリ読出手段として、上記ショック・プルーフ・メモリ６に記憶された音声データを、毎秒０．３Ｍｂｉｔの速度で上記ショック・プルーフ・メモリ６から読み出し、音声伸長回路７に読み出したデータを送る。音声伸長回路７は、送られてきたデータを所定のフォーマットにしたがって時間軸伸長して圧縮をとき、Ｄ／Ａコンバータ８に送る。Ｄ／Ａコンバータ８は、送られてきたディジタル信号をアナログ変換して音声信号を生成する。そして、この音声信号は出力端子１６より音声出力される。
　【００３２】
　尚、上記ピックアップ２は、ディスク１に記憶されている音声データを、毎秒１．４Ｍｂｉｔの速度で読み出す一方、上記音声伸長回路７は、毎秒０．３Ｍｂｉｔの速度で時間軸圧縮をとくように構成されている。即ち、ディスク１からの音声データの読み出し処理と時間軸伸長処理との処理速度の違いは、毎秒１．１Ｍｂｉｔであり、この処理速度の差によって、上記ショック・プルーフ・メモリ６には時間軸圧縮をとかれる前のデータが蓄積されることになる。本実施例の場合、ショック・プルーフ・メモリ６の容量が４Ｍｂｉｔであるので、ショック・プルーフ・メモリ６は、ピックアップ２によるディスク１からのデータ読み出し開始後、約４秒（４Ｍｂｉｔ／１．１Ｍｂｉｔ・ｓ−１）でメモリ容量一杯になり、再生時間にして約１２秒分（４Ｍｂｉｔ／０．３Ｍｂｉｔ・ｓ−１）のデータが記憶されることになる。
　【００３３】
　そして、上記のようにショック・プルーフ・メモリ６内の音声データが容量一杯になった場合、本ＭＤ装置では、第１モードとしてのパワーセーブモード、または、第２モードとしてのショック・プルーフモードのとちらのモードが設定されているかにより、以降の再生動作が異なる。上記ショック・プルーフモードとは、従来より行われている通常の再生モードであり、この場合、上記ショック・プルーフ・メモリ６はショック・プルーフ用として使用される。一方、上記パワーセーブモードは、上記ショック・プルーフ・メモリ６をショック・プルーフ用として使用するのではなく、消費電力の削減が図れるパワーセーブ用として使用するモードである。上記各モードについて、以下に詳細に説明する。
　【００３４】
　即ち、本ＭＤ装置は、記録情報読出手段を構成する上記のピックアップ２と、ＲＦアンプ３と、デコーダ・信号処理回路４と、サーボ回路１０と、ドライバ回１１と、スピンドルモータ１２と、送りモータ１３への電源電力の供給の有無を切り替える切替手段としての電源ＯＮ／ＯＦＦ回路１４をさらに有している。上記電源ＯＮ／ＯＦＦ回路１４は、制御手段としてのシステムコントロールマイコン９に制御されて動作するようになっており、このシステムコントロールマイコン９には使用者の操作によりパワーセーブモードに設定可能なパワーセーブスイッチ（モード選択手段、マニュアルスイッチ）１５が接続されている。
　【００３５】
　そして、上記パワーセーブスイヅチ１５がＯＮされているときは、常にパワーセーブモードに設定されるようになっている。一方、パワーセーブスイッチ１５がＯＦＦにされているときは、上記システムコントロールマイコン９が自動的にどちらかのモードを選択する自動モード選択手段となる。即ち、システムコントロールマイコン９は、エラーが少なくエラーの周期が長いと共に、サーボ回路１０のサーボ電圧の変動が少ないため、ショック・プルーフ用の容量が少なくてもよいと判断した場合には、パワーセーブモードを選択する一方、エラーが多くエラーの周期が短いか、または、サーボ回路１０のサーボ電圧の変動が大きいため、ショック・プルーフ用の容量が大きくなければならないと判断した場合には、ショック・プルーフモードを選択する。
　【００３６】
　先ず、ショック・プルーフモードに設定されている場合について、以下に説明する。
　【００３７】
　ショック・プルーフ・メモリ６内の音声データが容量一杯になった場合、その後所定時間、上記システムコントロールマイコン９は、ピックアップ２によりディスク１から読み出された音声データをショック・プルーフ・メモリ６に記憶させないように、メモリコントローラ５を制御する（ディスク１の空読み）。したがって、この間、毎秒０．３Ｍｂｉｔの速度でショック・プルーフ・メモリ６からデータの読み出しのみが行われ、これにより、ショック・プルーフ・メモリ６の容量の一部に空き領域が生じる。上記所定時間後、システムコントロールマイコン９は、ピックアップ２を容量が一杯になる前のトラックにジャンプさせ、ピックアップ２によりディスク１から読み出された音声データをショック・プルーフ・メモリ６へ記憶させるように、メモリコントローラ５を制御する。この後、ＭＤ装置は、再びショック・プルーフ・メモリ６内の音声データが容量一杯になったところで、同様に所定時間ディスクの空読みを行い、以下、同様の動作を繰り返す。上記により、ショック・プルーフ・メモリ６内には、常にショック・プルーフ用データが確保される。
　【００３８】
　次に、パワーセーブモードに設定されている場合について、以下に説明する。
　【００３９】
　ショック・プルーフ・メモリ６内の音声データが容量一杯になった場合、システムコントロールマイコン９は、ピヅクアツプ２、ＲＦアンプ３、デコーダ・信処理回路４、サーボ回路１０、ドライバ回路１１、スピンドルモータ１２、および送りモータ１３の各電源をＯＦＦする（電力の供給を断つ）ように電源ＯＮ／ＯＦＦ回路１４を制御する。これにより、ショック・プルーフ・メモリ６への音声データの記憶動作は一旦中断され、毎秒０．３Ｍｂｉｔの速度で上記ショック・プルーフ・メモリ６からデータの読み出しのみが行われ、音声信号として再生される。この場合、ディスク１の空読みとは異なり、記録情報読出手段の各構成部の電源がＯＦＦになっているので、当然、装置の消費電力は通常再生時よりも削減される。
　【００４０】
　上記の状態で再生が行われれば、所定時間経過後（即ち、約１２秒後）には、ショック・プルーフ・メモリ６内のデータは空になるが、データが空になる前に、システムコントロールマイコン９は、ピックアップ２、ＲＦアンプ３、デコーダ・信号処理回路４、サーボ回路１０、ドライバ回路１１、スピンドルモータ１、および送りモータ１３の各電源をＯＮする（電力の供給を再開する）ように電源ＯＮ／ＯＦＦ回路１４を制御する。これにより、ディスク１からの音声データの読み出しが再開され、ショック・プルーフ・メモリ６には、再び音声データが蓄えられ、再生動作が途切れることはない。
　【００４１】
　上記のように、本ＭＤ装置は、設定モードがパワーセーブモードになっているとき、ショック・プルーフ・メモリ６内の音声データが容量一杯になった場合、記録情報読出手段の各構成部の電源をＯＦＦにし、データが空になる前に、記録情報読出手段の各構成部の電源がＯＮにする動作を繰り返すことにより、装置の消費電力の削減を図るようになっている。
　【００４２】
　ここで、パワーセーブモードが設定されている場合における、ショック・プルーフ・メモリ６内のデータ記憶量（再生時間換算）の経時変化を図２に示す。
　【００４３】
　同図においてＡで示される区間は、パワーセーブの状態（即ち、記録情報読出手段の各構成部の電源がＯＦＦになっている状態）から、記録情報読出手段の各構成部の電源がＯＮになり、スピンドルモータ１２の回転、ピックアップ２からのレーザ発射、フォーカス等の立ち上げを行う期間である。また、Ｂで示される区間は、トラッキングをかけ、密検索を行って、ディスク１からデータを読み出し始めるまでの待機期間である。、また、Ｃで示される区間は、ディスク１から音声データを読み出しながら音声信号の再生を行う期間であり、この期間中にのみショック・プルーフ・メモリ６へのデータの記憶がなされる。また、Ｄで示される区間は、記録情報読出手段の各構成部（ピックアップ２、ＲＦアンプ３、デコーダ・信号処理回路４、サーボ回路１０、ドライバ回路１１、スピンドルモータ１２および送りモータ１３）の各電源がＯＦＦにされるパワーセーブ期間である。
　【００４４】
　ここで、パワーセーブモードが設定されているときの再生時の平均消費電力をＰ１とし、パワーセーブ状態から記録情報読出手段の各構成部の電源がＯＮになり、ディスク１からデータの読み出しが開始されるまでの立ち上げ時（即ち、区間Ａ＋区間Ｂ）の消費電力をＰｓとし、ディスク１からのデータ読み出し時（即ち、区間Ｃ）の消費電力をＰｏｎとし、パワーセーブ期間（即ち、区間Ｄ）の消費電力をＰｏｆｆ（Ｐｏｆｆ＜Ｐｏｎ）とする。また、区間Ａの所要時間を１．０秒、区間Ｂの所要時間を０．７秒、区間Ｃの所要時間を４．０秒、区間Ｄの所要時間を１０．３秒とすると、平均消費電力Ｐ１は、上記時間配分の条件において、
　Ｐ１＝１．７Ｐｓ／１６＋４Ｐｏｎ／１６＋１０．３Ｐｏｆｆ／１６…（１）
上式（１）のように表される。
　【００４５】
　一方、ショック・プルーフモードが設定されているときの再生時の平均消費電力をＰ２とした場合は、
　Ｐ２＝Ｐｏｎ…（２）
上式（２）のように表される。
　【００４６】
　Ｐ１＜Ｐ２の条件のとき、即ち、上式（１）および（２）より、
　（１．７Ｐｓ＋１０．３Ｐｏｆｆ）／１６＜０．７５Ｐｏｎ…（３）
上式（３）のとき、パワーセーブモードにおいて消費電力の削減が図られることになる。
　【００４７】
　通常のＭＤ装置では、Ｐｓ＝３．０Ｗ、Ｐｏｎ＝２．０Ｗ、Ｐｏｆｆ＝１・５Ｗ程度で実現可能であり、この条件は上式（３）を満たす。この条件で、上式（１）より平均消費電力Ｐ１を求めれば、Ｐ１≒１．７８Ｗとなり、パワーセーブモードが設定されているとき、再生時において約０．２２Ｗの消費電力の削減が図られる。
　【００４８】
　尚、立ち上げ時の消費電力Ｐｓは、ディスク１からのデータ読み出し時の消費電力Ｐｏｎよりも高くなるので、ショック・プルーフ・メモリの容量があまり小さすぎると、パワーセーブ期間が短すぎて充分な消費電力の削減を図れなかったり、逆に消費電力が高くなるケースも生じてしまう。したがって、上記Ｐｓ、Ｐｏｎ、Ｐｏｆｆの条件に応じてショック・プルーフ・メモリの容量を選定する必要がある。本実施例のように、４Ｍｂｉｔのショック・プルーフ・メモリを用いれば、充分な消費電力の削減効果が得られる。
　【００４９】
　尚、本実施例では、４Ｍｂｉｔのショック・プルーフ・メモリを用いているが、ショック・プルーフ・メモリの容量はこれに限定されるものではなく、さらに大容量のものを用いることにより、さらなる消費電力の削減効果が得られる。
　【００５０】
　また、１６Ｍｂｉｔ以上の容量のショック・プルーフ・メモリを用いる場合には、その容量の一部をショック・プルーフ用として、残りをパワーセーブ用として振り分けて使用することも可能である。また、システムコントロールマイコン９が、エラーの量とその周期、およびサーボ電圧の変動量に応じて、ショック・プルーフ・メモリの容量をショック・プルーフ用とパワーセーブ用とに任意に振り分けるようにしてもよい。
　【００５１】
　本実施例では、パワーセーブスイッチ１５が用いられているので、使用者が目的に応じて設定モードを任意に選択できる。例えば、電源に電池を使用してＭＤ装置を携帯使用する場合では、パワーセーブスイッチ１５を操作してパワーセーブモードを選択することにより、常に、ショック・プルーフ・メモリ６がパワーセーブ用として使用され、長時間使用が可能となる。一方、例えばＡＣ１００Ｖを電源として使用する場合では、電源による使用時間の制限を受けないので、ショック・プルーフモードを選択することにより、外乱等による音飛びを防ぐことができる。
　【００５２】
　また、従来では、エラーが少ない場合でも、常に、ショック・プルーフ・メモリ６内にショック・プルーフ用のデータが所定量以上保持されるようになっていた。これに対し、本実施例では、エラーが少なければショック・プルーフ・メモリ６がパワーセーブ用として使用されるようになるので、その分消費電力の削減が図られる。したがって、外乱等による音飛びが比較的少ない状態を維持しながら消費電力の削減を図ることができる。
　【００５３】
　【発明の効果】
　請求項１の発明に係る情報再生装置は、以上のように、記録情報読出手段への電源電力の供給の有無を切り替える切替手段と、記憶手段内の情報データの記憶量が、略記憶手段の記憶容量に達したときに、記録情報読出手段への電源電力の供給が行われないように上記切替手段の切り替え動作を制御する制御手段とを有し、上記制御手段は、上記記憶手段内の情報データの記憶量が所定量以下になったとき、上記記録情報読出手段への電源電力の供給が再開されるように上記切替手段の切り替え動作を制御し、記憶手段内の情報データが空になる前に記憶手段への情報データの書き込みを再開させる構成であ
り、且つ上記記憶手段が、記録媒体からのデータ読み出し速度と、時間軸伸長して圧縮をとく速度と、記録媒体からデータの読み出しが開始されるまでの立ち上げ時の消費電力と、記録媒体からのデータ読み出し時の消費電力と、パワーセーブ期間の消費電力とからなる特定の条件に基づいて記憶容量を選定し、その選定した記憶容量と上記特定の条件とに基づいて算出される平均消費電力が、記録媒体からのデータ読み出し時の消費電力よりも低くなるよう、その記憶容量を少なくとも４Ｍｂｉｔ以上としたものである。
　【００５４】
　それゆえ、記録情報読出手段の電源のＯＮ／ＯＦＦが繰り返されながら情報の再生が行われるので、再生時の消費電力の削減を図ることができる
と共に、その際において、パワーセーブ期間が短すぎて充分な消費電力の削減を図れなかったり、逆に消費電力が高くなるケースを防止することができる
　【００５５】
　請求項２の発明に係る情報再生装置は、以上のように、記録情報読出手段への電源電力の供給の有無を切り替える切替手段と、第１モードまたは第２モードのいずれかの設定モードを選択するモード選択手段とを有し、制御手段は、モード選択手段により第１モードが選択されている場合、記憶手段内の情報データの記憶量が略記憶手段の記憶容量に達すれば、記録情報読出手段への電源電力の供給が行われないように切替手段の切り替え動作を制御すると共に、記憶手段内の情報データの記憶量が所定量以下になれば、記録情報読出手段への電源電力の供給が再開されるように切替手段の切り替え動作を制御し、且つ書込手段の動作を制御して記憶手段への情報データの書き込みを再開させる一方、モード選択手段により第２モードが選択されている場合、記憶手段内にショック・プルーフ用の情報データが、常に、所定量以上保持されるように、書込手段の動作を制御する構成である。
　【００５６】
　それゆえ、第１モードが選択されている場合、記憶手段は、消費電力の削減を図ることができるパワーセーブ用として使用され、第２モードが選択されている場合、記憶手段は、ショック・プルーフ用として使用される。特に、請求項３の構成のように、モード選択手段としてマニュアルスイッチを用いれば、使用者が目的に応じて設定モードを任意に選択でき、例えば、電源に電池等を使用して情報再生装置を携帯使用する場合では、第１モードを選択することにより長時間使用が可能となる。また、請求項４の構成のように、モード選択手段として自動モード選択手段を使用すれば、エラー周期等の上記記録情報読出手段による情報データの読み出し状態に応じて、自動的に設定モードの選択が行われるので、外乱等による再生情報の乱れが比較的少ない再生状態を維持しながら消費電力の削減を図ることができるという効果を奏する。
【図面の簡単な説明】
　【図１】
　本発明の一実施例を示すものであり、ＭＤ装置の要部の構成を示すブロック図である。
　【図２】
　上記ＭＤ装置において、パワーセーブモードが設定されている場合における、ショヅク・プルーフ・メモリ内のデータ記憶量（再生時間換算）の経時変化を示す説明図である。
　【符号の説明】
１　ディスク（記録媒体）
２　ピックアップ（記録情報読出手段）
３　ＲＦアンプ（記録情報読出手段）
４　デコード・信号処理回路（記録情報読出手段）
５　ショック・プルーフ・メモリコントローラ（書込手段、メモリ読出手段）
６　ショック・プルーフ・メモリ（記憶手段）
９　システムコントロールマイコン（制御手段、自動モード選択手段）
１０　サーボ回路（記録情報読出手段）
１１　ドライバ回路（記録情報読出手段）
１２　スピンドルモータ（記録情報読出手段）
１３　送りモータ（記録情報読出手段）
１４　電源ＯＮ／ＯＦＦ回路（切替手段）
１５　パワーセーブスイッチ（モード選択手段、マニュアルスイッチ）